【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
折り畳まれた縁を規定するファスニング構成要素と、
おむつ又は基材へ貼り付けるための第１の面と、対向する第２の面とを規定する接合構成要素と、
前記ファスニング構成要素の折り畳まれた縁内で収容される縁を有し、概ね、前記ファスニング構成要素と前記接合構成要素との間に配置される延長構成要素とを含むファスナーテープアセンブリであって、
前記接合構成要素は、前記延長構成要素に付着されており、
前記ファスニング構成要素は、前記延長構成要素の縁が挿入される前記ファスニング構成要素の折り畳まれた縁によって、前記延長構成要素に貼り付けられており、
前記ファスニング構成要素の折り畳まれた縁及び前記延長構成要素の縁は、前記接合構成要素の縁を越えて延びる、ファスナーテープアセンブリ。
【請求項２】
前記延長構成要素は、前記接合構成要素に向かう面を規定し、前記面は、（ｉ）パターン化された接着剤領域及び（ｉｉ）非接着剤領域の少なくとも一つを含む、請求項１に記載のファスナーテープアセンブリ。
【請求項３】
前記接着剤は、前記折り畳まれた縁の領域に提供されることにより、前記ファスニング構成要素が前記延長構成要素と接合するようにする、請求項１項又は２に記載のファスナーテープアセンブリ。
【請求項４】
前記接着剤は、前記折り畳まれた縁内に収容される前記延長構成要素の前記縁の少なくとも一部に沿って提供されることにより、前記ファスニング構成要素が前記延長構成要素と接合するようにする、請求項１〜３のいずれか一項に記載のファスナーテープアセンブリ。
【請求項５】
前記ファスナーテープアセンブリはロール状である、請求項１〜４のいずれか一項に記載のファスナーテープアセンブリ。
【請求項６】
折り畳まれた縁を規定するファスニング構成要素と、
おむつ又は基材へ貼り付けるための第１の面と、対向する第２の面とを規定する接合構成要素と、
前記ファスニング構成要素の折り畳まれた縁内に収容される縁を有し、概ね、前記ファスニング構成要素と前記接合構成要素との間に配置される延長構成要素とを含むファスナーテープアセンブリであって、
前記接合構成要素は、前記延長構成要素に付着されており、
前記ファスニング構成要素は、前記延長構成要素の縁が挿入される前記ファスニング構成要素の折り畳まれた縁によって、前記延長構成要素に貼り付けられており、
前記延長構成要素は、前記接合構成要素に向かう面を規定し、前記面は、（ｉ）パターン化された接着剤領域及び（ｉｉ）非接着剤領域の少なくとも一つを含む、ファスナーテープアセンブリ。
【請求項７】
前記ファスニング構成要素の前記折り畳まれた縁及び前記延長構成要素の前記縁は、前記接合構成要素の縁を越えて延びる、請求項６に記載のファスナーテープアセンブリ。
【請求項８】
前記延長構成要素の前記面は非接着剤領域を含む、請求項６又は７に記載のファスナーテープアセンブリ。
【請求項９】
前記延長構成要素の前記面は前記パターン化された接着剤領域を含む、請求項６〜８のいずれか１項に記載のファスナーテープアセンブリ。
【請求項１０】
前記ファスナーテープアセンブリはロール状である、請求項６〜９のいずれか１項に記載のファスナーテープアセンブリ。
【請求項１１】
第１の縁及び第２の縁を規定するファスニング構成要素と、
おむつ又は基材へ貼り付けるための第１の面と、対向する第２の面とを規定する接合構成要素と、
第１の脚と第２の脚とを有する第１の折り畳まれた縁構成要素と、
前記第１の折り畳まれた縁構成要素の前記第１の脚及び前記第２の脚の間に収容される縁を有し、前記ファスニング構成要素と前記接合構成要素との間に概ね配置される延長構成要素とを含むファスナーテープアセンブリであって、
前記接合構成要素は、前記延長構成要素に付着されており、
前記ファスニング構成要素は、前記延長構成要素の縁が挿入される前記ファスニング構成要素の折り畳まれた縁によって、前記延長構成要素に貼り付けられており、
前記第１の折り畳まれた縁構成要素及び前記延長構成要素の前記縁は、前記接合構成要素の縁を越えて延びる、ファスナーテープアセンブリ。
【請求項１２】
第１の脚と第２の脚とを有する第２の折り畳まれた縁構成要素をさらに含み、
前記接合構成要素の縁は、前記第２の折り畳まれた縁の前記第１の脚及び前記第２の脚の間に収容される、請求項１１に記載のファスナーテープアセンブリ。
【請求項１３】
前記延長構成要素は、前記接合構成要素に向かう面を規定し、前記面は、（ｉ）パターン化された接着剤領域及び（ｉｉ）非接着剤領域の少なくとも一つを含む、請求項１１又は１２に記載のファスナーテープアセンブリ。
【請求項１４】
前記接着剤は、前記折り畳まれた縁の領域に提供されることにより、前記ファスニング構成要素が前記延長構成要素と接合する、請求項１１〜１３のいずれか一項に記載のファスナーテープアセンブリ。
【請求項１５】
前記接着剤は、前記第１の折り畳まれた縁内で収容される前記延長構成要素の前記縁の少なくとも一部に沿って提供されることにより、前記ファスニング構成要素が前記延長構成要素と接合するようにする、請求項１１〜１４のいずれか１項に記載のファスナーテープアセンブリ。
【請求項１６】
前記ファスナーテープアセンブリはロール状である、請求項１１〜１５のいずれか一項に記載のファスナーテープアセンブリ。
【請求項１７】
折り畳まれた縁を規定するファスニング構成要素と、
物品に貼付けられる第１の面と、対向する第２の面とを規定する接合構成要素と、
前記ファスニング構成要素の前記折り畳まれた縁内に収容される縁を有し、概ね、前記ファスニング構成要素と前記接合構成要素との間に配置される延長構成要素とを含むファスナーテープアセンブリを含む前記物品であって、
前記接合構成要素は、前記延長構成要素に付着されており、
前記ファスニング構成要素は、前記延長構成要素の縁が挿入される前記ファスニング構成要素の折り畳まれた縁によって、前記延長構成要素に貼り付けられており、
前記ファスニング構成要素の前記折り畳まれた縁及び前記延長構成要素の前記縁は、前記接合構成要素の縁を越えて延びる物品。
【請求項１８】
前記物品はおむつである、請求項１７に記載の物品。
【請求項１９】
前記おむつはパンツ型おむつである、請求項１８項に記載の物品。
【請求項２０】
折り畳まれた縁を規定するファスニング構成要素と、
物品に貼付けられる第１の面と、対向する第２の面とを規定する接合構成要素と、
前記ファスニング構成要素の前記折り畳まれた縁内に収容される縁を有し、概ね、前記ファスニング構成要素と前記接合構成要素との間に配置される延長構成要素とを含むファスナーテープアセンブリを含む物品であって、
前記接合構成要素は、前記延長構成要素に付着されており、
前記ファスニング構成要素は、前記延長構成要素の縁が挿入される前記ファスニング構成要素の折り畳まれた縁によって、前記延長構成要素に貼り付けられており、
前記延長構成要素は、前記接合構成要素に向かう面を規定し、前記面は、（ｉ）パターン化された接着剤領域及び（ｉｉ）非接着剤領域の少なくとも一つを含む物品。
【請求項２１】
前記物品はおむつである、請求項２０に記載の物品。
【請求項２２】
前記おむつは、パンツ型おむつである、請求項２１に記載の物品。
【請求項２３】
第１の縁及び第２の縁を規定するファスニング構成要素と、
物品へ貼り付けるための第１の面と、対向する第２の面とを規定する接合構成要素と、
第１の脚と第２の脚とを有する第１の折り畳まれた縁構成要素と、
前記第１の折り畳まれた縁構成要素の前記第１の脚及び前記第２の脚の間に収容される縁を有し、前記ファスニング構成要素と前記接合構成要素との間に概ね配置される延長構成要素とを含むファスナーテープアセンブリを含む物品であって、
前記接合構成要素は、前記延長構成要素に付着されており、
前記ファスニング構成要素は、前記延長構成要素の縁が挿入される前記ファスニング構成要素の折り畳まれた縁によって、前記延長構成要素に貼り付けられており、
前記第１の折り畳まれた縁構成要素及び前記延長構成要素の前記縁は、前記接合構成要素の縁を越えて延びる物品。
【請求項２４】
前記ファスナーテープアセンブリは、第１の脚と第２の脚とを有する第２の折り畳まれた縁構成要素をさらに含み、
前記接合構成要素の縁は、前記第２の折り畳まれた縁の前記第１の脚及び前記第２の脚の間に収容される、請求項２３に記載の物品。
【請求項２５】
前記物品はおむつである、請求項２３又は２４に記載の物品。
【請求項２６】
前記物品はパンツ型おむつである、請求項２３に記載の物品。